(57)【要約】【課題】作業時間およびコスト高を抑制することができるカッティングデータ作成方法、カッティングデータ作成装置、プログラムおよびコンピューター読み取り可能な記録媒体を提供しようとするものである。【解決手段】カッティング用カッターを制御してシート材を所望の形状にカッティングするためのカッティングデータを作成するカッティングデータ作成方法において、作業者の入力に基づいてカッティングデータを作成する作成工程と、上記作成工程で作成されたカッティングデータを、予め記憶された画像データ上に重ねてイメージ画像を作成するイメージ作成工程と、上記イメージ作成工程で作成されたイメージ画像において、上記作業者の操作に応じ上前記画像データ上に表示され上前記カッティングデータの大きさおよび配置位置を変更する変更工程とを有するようにしたものである。【選択図】        図７
2014085838.tif 000002
【特許請求の範囲】
【請求項１】
カッティング用カッターを制御してシート材を所望の形状にカッティングするためのカッティングデータを作成するカッティングデータ作成方法において、
カッティングデータを作成する作成工程と、
前記作成工程で作成されたカッティングデータを、予め記憶された画像データ上に重ねてイメージ画像を作成するイメージ作成工程と、
前記イメージ作成工程で作成されたイメージ画像において、前記画像データ上に表示された前記カッティングデータの大きさおよび配置位置を変更する変更工程と
を有することを特徴とするカッティングデータ作成方法。
【請求項２】
カッティング用カッターを制御してシート材を所望の形状にカッティングするためのカッティングデータを作成するカッティングデータ作成工程において、
カッティングデータを作成する作成工程と、
所定の場所を撮影する撮影工程と、
前記作成工程で作成されたカッティングデータを、前記撮影工程で撮影された映像データ上に重ねてイメージ映像を作成するイメージ作成工程と、
前記イメージ作成工程で作成されたイメージ映像において、前記映像データ上に表示された前記カッティングデータの大きさおよび配置位置を変更する変更工程と
を有することを特徴とするカッティングデータ作成方法。
【請求項３】
カッティング用カッターを制御してシート材を所望の形状にカッティングするためのカッティングデータを作成するカッティングデータ作成装置において、
カッティングデータを作成する作成手段と、
前記作成手段において作成されたカッティングデータを、予め記憶された画像データ上に重ねてイメージ画像を作成するイメージ作成手段と、
前記イメージ作成手段において作成されたイメージ画像において、前記画像データ上に表示された前記カッティングデータの大きさおよび配置位置を変更する変更手段と
を有することを特徴とするカッティングデータ作成装置。
【請求項４】
カッティング用カッターを制御してシート材を所定の形状にカッティングするためのカッティングデータを作成するカッティングデータ作成装置において、
カッティングデータを作成する作成工程と、
所定の場所を撮影する撮影手段と、
前記作成手段において作成されたカッティングデータを、前記撮影手段において撮影された映像データ上に重ねてイメージ映像を作成するイメージ作成手段と、
前記イメージ作成手段において作成されたイメージ映像において、前記映像データ上に表示された前記カッティングデータの大きさおよび配置位置を変更する変更手段と
を有することを特徴とするカッティングデータ作成装置。
【請求項５】
請求項１または２のいずれか１項に記載のカッティングデータ作成方法をコンピューターに実行させるためのプログラム。
【請求項６】
請求項３または４のいずれか１項に記載のカッティングデータ作成装置としてコンピューターを実行させるためのプログラム。
【請求項７】
請求項５または６のいずれか１項に記載のプログラムを記録したコンピューター読み取り可能な記録媒体。
【請求項８】
カッティングデータに基づいてシート材のカッティングを行うカッティング装置において、
タッチパネルを備え、作業者が前記タッチパネルに触れることにより前記タッチパネルに表示された選択項目を選択し、かつ、前記タッチパネルに触れた指を動きに応じて前記タッチパネルに表示されたデータの大きさおよび配置位置を変更することが可能であるとともに、請求項１または２のいずれか１項に記載のカッティングデータ作成方法によりカッティングデータを作成し、作成したカッティングデータを出力する携帯端末と、
データ受信手段を備え、前記携帯端末から出力されるカッティングデータを受信し、受信したカッティングデータに基づいてカッティング用カッターを制御してシート材をカッティングするカッティング手段と
を有することを特徴とするカッティング装置。
【発明の詳細な説明】
【技術分野】
【０００１】
本発明は、カッティングデータ作成方法、カッティングデータ作成装置、プログラムおよびコンピューター読み取り可能な記録媒体ならびにカッティング装置に関し、さらに詳細には、文字、記号、似顔絵などの所定の形状を表すカッティングデータを作成するカッティングデータ作成方法、カッティングデータ作成装置、プログラムおよびコンピューター読み取り可能な記録媒体ならびに当該カッティングデータ作成方法により作成したカッティングデータを利用してカッティングを行うカッティング装置に関する。
【背景技術】
【０００２】
従来より、マイクロコンピューターの制御によって作動され、塩化ビニル製のマーキングフィルムのようなシート材を、カッティングデータに基づいて、所定の図形、文字あるいは記号などの形状にカッティングするための装置として、カッティングプロッタが知られている。
【０００３】
こうしたカッティングプロッタとしては、基台上にシート材を固定的に載置する、所謂、フラットベッド型のカッティングプロッタと、基台に対してシート材を移動可能に載置する、所謂、ペーパームーブ型のカッティングプロッタとの２種類が知られている。
【０００４】
カッティングプロッタとしては、上記した２種類のものが知られているが、いずれのタイプのカッティングプロッタであっても、カッティングプロッタとは別体に設けられたホストコンピューターから出力されるカッティングデータに基づき、カッターをシート材に対して相対的にＸＹＺ直交座標系のＺ軸方向に移動させるとともに、カッターをシート材に対して相対的にＸ方向およびＹ方向に移動させることにより、ホストコンピューターから出力されるカッティングデータによって指示される形状にシート材をカッティングするものである。
【０００５】
なお、カッティングデータは、例えば、カッターのアップデータ、ダウンデータならびにカッティング方向およびカッティング長さを示すベクタデータであり、カッティングを開始する前にホストコンピューターにおいて作成されるものである。
【０００６】
つまり、カッティング開始時には、ホストコンピューターから出力されるベクタデータに基づきカッティングすべき形状の視点となるシート材上の所定の位置にカッターを位置決めし、その後にホストコンピューターから出力されるダウンデータに基づきカッターをシート材上に下降する。
【０００７】
そして、ホストコンピューターから出力されるベクタデータに基づき、カッターを移動させてシートのカッティングを行う。
【０００８】
次に、ホストコンピューターから出力されるアップデータを読み出した際には、当該アップデータの直前のベクタデータによるカッティングの終点においてカッターを上昇するものである。
【０００９】
このような処理により、ホストコンピューターから出力されるカッティングデータによって所定の形状にシート材がカッティングされることとなる。
【００１０】
ここで、こうしたカッティングプロッタに用いられるカッティングデータは、パーソナルコンピューターにより作成されるものであるが、作業者は、専用のソフトを利用して、カッティングプロッタによりカッティングされた成果物を想像して、大きさ、色、形状などを決定してカッティングデータを作成しなければならなかった。
【００１１】
これにより、実際にカッティングデータによりカッティングされた成果物を、対象とする場所などに貼り付けた場合に、作業者が想像していた印象と異なることがあり、こうした場合には、作業者が、この異なる印象の成果物で我慢するか、あるいは、この異なる印象の成果物を参考にして修正したカッティングデータを再度作成して、より自分の印象に近い成果物を取得するようにしていた。
【００１２】
しかしながら、再度カッティングデータを作成する場合でも、直ちに作業者の想像に近い成果物を得ることができず、実際に作業者の想像に近い成果物を得るには、こうしたカッティングデータの修正作業を何回も行わなければならなかった。
【００１３】
このように従来の技術においては、カッティングデータを作成し、実際に当該カッティングデータに基づいてシート材をカットして成果物を取得するという作業を繰り返さなければならず、作業時間を要するとともに、コストが上昇してしまっていた。
【００１４】
このため、作業時間およびコスト高を抑制することができるカッティングデータの作成方法および作成装置の提案が望まれていた。
【００１５】
また、こうしたカッティングデータを作成する場合には、パーソナルコンピューターなどにより作成し、作成したカッティングデータをカッティングプロッタに出力するようにしていた。
【００１６】
従って、例えば、簡単な文字や簡単な形状を表すカッティングデータであっても、こうしたカッティングデータを作成する際には、パーソナルコンピューターを用意しなければならず、こうしたカッティングデータの作成作業が面倒なものとなっていた。
【００１７】
このため、カッティングデータの作成に際して、作業時間およびコスト高を抑制するとともに、簡単な文字や形状を表すカッティングデータなどを、例えば、高機能（多機能）携帯電話、所謂、スマートフォンやタブレット型コンピューターなどといった携帯端末を利用して作成することで、より手軽に作成し、作成したカッティングデータに基づいてカッティングを行うことができるカッティング装置の提案が望まれていた。
【００１８】
なお、本願出願人が特許出願のときに知っている先行技術は、文献公知発明に係る発明ではないため、本願明細書に記載すべき先行技術文献情報はない。
【発明の概要】
【発明が解決しようとする課題】
【００１９】
本発明は、従来の技術の有する上記したような要望に鑑みてなされたものであり、その目的とするところは、作業時間およびコスト高を抑制することができるカッティングデータ作成方法、カッティングデータ作成装置、プログラムおよびコンピューター読み取り可能な記録媒体を提供しようとするものである。
【００２０】
また、本発明の目的とするところは、上記したカッティングデータの作成方法により、手軽にカッティングデータを作成して利用することができるカッティング装置を提供しようとするものである。
【課題を解決するための手段】
【００２１】
上記目的を達成するために、本発明は、作成したカッティングデータを、このカッティングデータによりカッティングされた成果物を貼り付ける場所を撮影した撮影データ上に重ねて表示して、撮影データ上に重ねられたカッティングデータの大きさや配置位置を操作することにより、実際に成果物を当該場所に貼り付けたときのイメージ画像を表示するようにしたものである。
【００２２】
これにより、本発明においては、実際に作成したカッティングデータに基づく成果物を取得する前に、作業者に成果物を貼り付けたときの状態を視覚的に確認することができるようになる。
【００２３】
従って、本発明によれば、カッティングデータを作成すれば、作業者のイメージと一致した成果物、あるいは、そのイメージに近似した成果物を取得することができるようになり、何度もカッティングプロッタによりカッティングを行うことがなくなる。
【００２４】
このため、カッティングデータを作成し、作成したカッティングデータによりカッティングされた成果物を取得するといった作業を行う作業時間を抑制することができるようになる。
【００２５】
さらに、作業者のイメージと異なる成果物を作成することが少なくなり、シート材の使用量を抑えることができ、コスト高を抑制することができるようになる。
【００２６】
即ち、本発明によるカッティングデータ作成方法は、カッティング用カッターを制御してシート材を所望の形状にカッティングするためのカッティングデータを作成するカッティングデータ作成方法において、カッティングデータを作成する作成工程と、上記作成工程で作成されたカッティングデータを、予め記憶された画像データ上に重ねてイメージ画像を作成するイメージ作成工程と、上記イメージ作成工程で作成されたイメージ画像において、上記画像データ上に表示された上記カッティングデータの大きさおよび配置位置を変更する変更工程とを有するようにしたものである。
【００２７】
また、本発明によるカッティングデータ作成方法は、カッティング用カッターを制御してシート材を所望の形状にカッティングするためのカッティングデータを作成するカッティングデータ作成工程において、カッティングデータを作成する作成工程と、所定の場所を撮影する撮影工程と、上記作成工程で作成されたカッティングデータを、上記撮影工程で撮影された映像データ上に重ねてイメージ映像を作成するイメージ作成工程と、上記イメージ作成工程で作成されたイメージ映像において、上記映像データ上に表示された上記カッティングデータの大きさおよび配置位置を変更する変更工程とを有するようにしたものである。
【００２８】
また、本発明によるカッティングデータ作成装置は、カッティング用カッターを制御してシート材を所望の形状にカッティングするためのカッティングデータを作成するカッティングデータ作成装置において、カッティングデータを作成する作成手段と、上記作成手段において作成されたカッティングデータを、予め記憶された画像データ上に重ねてイメージ画像を作成するイメージ作成手段と、上記イメージ作成手段において作成されたイメージ画像において、上記画像データ上に表示された上記カッティングデータの大きさおよび配置位置を変更する変更手段とを有するようにしたものである。
【００２９】
また、本発明によるカッティングデータ作成装置は、カッティング用カッターを制御してシート材を所定の形状にカッティングするためのカッティングデータを作成するカッティングデータ作成装置において、カッティングデータを作成する作成工程と、所定の場所を撮影するする撮影手段と、上記作成手段において作成されたカッティングデータを、上記撮影手段において撮影された映像データ上に重ねてイメージ映像を作成するイメージ作成手段と、上記イメージ作成手段において作成されたイメージ映像において、上記映像データ上に表示された上記カッティングデータの大きさおよび配置位置を変更する変更手段とを有するようにしたものである。
【００３０】
また、本発明によるプログラムは、上記したカッティングデータ作成方法をコンピューターに実行させるためのプログラムである。
【００３１】
また、本発明によるプログラムは、上記したカッティングデータ作成装置としてコンピューターを実行させるためのプログラムである。
【００３２】
また、本発明によるコンピューター読み取り可能な記録媒体は、上記したプログラムを記録したコンピューター読み取り可能な記録媒体である。
【００３３】
また、本発明によるカッティング装置は、カッティングデータに基づいてシート材のカッティングを行うカッティング装置において、タッチパネルを備え、作業者が上記タッチパネルに触れることにより上記タッチパネルに表示された選択項目を選択し、かつ、上記タッチパネルに触れた指を動きに応じて上記タッチパネルに表示されたデータの大きさおよび配置位置を変更することが可能であるとともに、上記したカッティングデータ作成方法によりカッティングデータを作成し、作成したカッティングデータを出力する携帯端末と、データ受信手段を備え、上記携帯端末から出力されるカッティングデータを受信し、受信したカッティングデータに基づいてカッティング用カッターを制御してシート材をカッティングするカッティング手段とを有するようにしたものである。
【発明の効果】
【００３４】
本発明は、以上説明したように構成されているので、作業時間およびコスト高を抑制することができるという優れた効果を奏する。
【００３５】
また、本発明は、以上説明したように構成されているので、手軽にカッティングデータを作成して利用することができるという優れた効果を奏するものである。
【図面の簡単な説明】
【００３６】
【図１】図１は、本発明によるカッティング装置の概略構成説明図である。
【図２】図２は、携帯端末のハードウェア構成を示すブロック構成説明図である。
【図３】図３は、本発明によるカッティング装置におけるカッティングデータ作成処理の詳細な処理内容を示すフローチャートである。
【図４】図４は、図３の続きのフローチャートである。
【図５】図５は、フォント変更処理の詳細な処理内容を示すフローチャートである。
【図６】図６は、シートカラー変更処理の詳細な処理内容を示すフローチャートである。
【図７】図７は、第１イメージ処理の詳細な処理内容を示すフローチャートである。
【図８】図８は、第２イメージ処理の詳細な処理内容を示すフローチャートである。
【図９】図９（ａ）は、編集画面を示す説明図であり、また、図９（ｂ）は、編集画面において「テキスト」を選択した状態を示す説明図である。
【図１０】図１０（ａ）は、テキスト入力画面を示す説明図であり、また、図１０（ｂ）は、テキスト入力画面においてフォントタブを選択した状態を示す説明図である。
【図１１】図１１（ａ）は、編集画面において「エア貼り」を選択した状態を示す説明図であり、また、図１１（ｂ）は、イメージ画像表示画面を示す説明図である。
【図１２】図１２（ａ）は、テキストデータが表示されたテキスト入力画面を示す説明図であり、また、図１２（ｂ）は、カッティングデータが表示された編集画面を示す説明図である。
【図１３】図１３（ａ）は、画像データ上にカッティングデータを重ねた状態を示す説明図であり、また、図１３（ｂ）は、図１３（ａ）のカッティングデータを縮小し、所定の位置に配置した状態を示す説明図である。
【図１４】図１４（ａ）は、映像データ上にカッティングデータを重ねた状態を示す説明図であり、また、図１４（ｂ）は、図１４（ａ）のカッティングデータを縮小し、所定の位置に配置した状態を示す説明図である。
【発明を実施するための形態】
【００３７】
以下、添付の図面を参照しながら、本発明によるカッティングデータ作成方法、カッティングデータ作成装置、プログラムおよびコンピューター読み取り可能な記録媒体ならびにカッティング装置の実施の形態の一例を詳細に説明するものとする。
【００３８】
ここで、図１には、本発明によるカッティング装置の概略構成説明図が示されている。
【００３９】
このカッティング装置１０は、文字、記号および所定の形状のカッティングデータを作成する携帯端末２０と、携帯端末２０で作成したカッティングデータを受信するためのデータ受信部１２を備えたカッティングプロッタ１４とを備えている。
【００４０】
なお、カッティングプロッタ１４の構成については、従来より公知のカッティングプロッタと同様の構成となっているため、その詳細な説明は省略することとする。
【００４１】
ここで、図２を参照しながら、携帯端末２０のハードウェア構成について説明する。
【００４２】
また、携帯端末２０は、その動作を中央処理装置（ＣＰＵ）２２を用いて制御するように構成されている。
【００４３】
そして、このＣＰＵ２２には、バス２４を介して、ＣＰＵの制御のためのプログラムや各種データなどを記憶するリードオンリメモリ（ＲＯＭ）やＣＰＵ２２のためのワーキングエリアとして用いられる記憶領域などを備えたランダムアクセスメモリ（ＲＡＭ）などから構成される記憶部２６が接続されている（図２を参照する。）。
【００４４】
また、この携帯端末２０においては、ＣＰＵ２２の制御により生成された各種データを外部の各種機器に出力する出力部２８と、外部からネットワークなどを介して各種プログラムや各種データを入力する入力部３０と、ＣＰＵ２２の制御により動画像あるいは静止画像を撮影可能なカメラ３４と、ＣＰＵ２２の制御に基づいて各種表示を行うとともに、表示された内容を選択することが可能なタッチパネル３２とを有して構成されている。
【００４５】
なお、この携帯端末２０としては、例えば、高機能（多機能）携帯電話、所謂、スマートフォンやタブレット型コンピューターなどを用いることができる。
【００４６】
また、以下の説明においては、携帯端末２０によるカッティングデータの作成処理の理解を容易にするために、外部から入力部３０を介して記憶部２６にカッティングデータ作成処理を実行するためのプログラムや当該カッティングデータ作成処理に用いる各種データが予め記憶されているものとする。
【００４７】
以上の構成において、カッティング装置１０によりカッティングデータに基づいてカッティングされた成果物を取得するには、カッティングプロッタ１４の電源が起動された状態で、携帯端末２０においてタッチパネル３２を操作して、カッティングデータ作成処理を起動する。
【００４８】
なお、以下の説明においては、発明の内容の理解を容易にするために、カッティング装置１０において、文字のカッティングデータを作成する場合について説明する。
【００４９】
具体的には、携帯端末２０においては、予めカッティングデータを作成するためのプログラムが入力されており、こうして入力されたプログラムは、アプリケーションソフトとして記憶され、タッチパネル３２上に当該アプリケーションソフトとしてのアイコンが表示されている。そして、カッティングデータを作成するにあたって、作業者がこうして表示されたアイコンを指などで触れることにより、カッティングデータを作成するためのソフトが起動され、カッティングデータ作成処理が起動されることとなる。また、このとき携帯端末２０は、カッティングプロッタ１４をサーチして、作成したカッティングデータの出力先をカッティングプロッタ１４に決定する。
【００５０】
カッティングデータ作成処理が起動すると、タッチパネル３２において編集画面１００を表示する（ステップＳ３０２）。
【００５１】
この編集画面１００には、処理内容を表示する処理内容表示部１００ａと、処理内容表示部１００ａにおける処理内容の詳細が表示される詳細処理内容表示部１００ｂと、作成したカッティングデータを表示するカッティングデータ表示部１００ｃとが設けられている（図９（ａ）を参照する。）。
【００５２】
具体的には、例えば、処理内容表示部１００ａには、文字を入力するための「テキスト」１００ａ−１、カッティングデータ表示部１００ｃに表示されるカッティングデータの色彩を決定する「シートカラー」１００ａ−２、カッティングデータ表示部１００ｃに表示されるカッティングデータを映像データ上に貼り付けて表示する「エア貼り」１００ａ−３などが表示される。
【００５３】
また、詳細処理内容表示部１００ｂには、処理内容表示部１００ａにおいて選択された処理内容の詳細な処理内容が表示される。
【００５４】
例えば、処理内容表示部１００ａにおいて「テキスト」１００ａ−１が選択されると、詳細処理内容表示部１００ｂでは、文字を入力するための「テキスト入力」１００ｂａ−１、テキスト入力で入力される文字列の縦書き、横書きを変更するための「縦書き／横書き」１００ｂａ−２が表示される（図９（ｂ）を参照する。）。
【００５５】
また、処理内容表示部１００ａにおいて「シートカラー」１００ａ−２が選択されると、詳細処理内容表示部１００ｂでは、登録された複数の色彩が表示される。なお、登録された複数の色彩は、例えば、カッティングプロッタ１４において使用可能なシート材の色彩である。
【００５６】
さらに、処理内容表示部ａ１００において「エア貼り」１００ａ−３が選択されると、詳細処理内容表示部１００ｃでは、予め写真として記憶されている画像データあるいは携帯端末２０に設けられたカメラ３４により撮影した撮影データ（静止画像）上にカッティングデータ表示部１００ｃに表示されたカッティングデータを表示する「写真に貼る」１００ｂｂ−１、携帯端末２０に設けられたカメラ３４により撮影した撮影データ（動画像）上にカッティングデータ表示部１００ｃに表示されたカッティングデータを表示する「貼って撮る」１００ｂｂ−２が表示される（図１１（ａ）を参照する。）。
【００５７】
また、編集画面１００には、作成したカッティングデータを出力部２８を介して外部に出力する「出力へ」ボタン１００ｄが設けられている。
【００５８】
そして、編集画面１００を表示すると、「テキスト」１００ａ−１が選択されたか否かの判断を行う（ステップＳ３０４）。
【００５９】
即ち、このステップＳ３０４の判断処理では、処理内容表示部１００ａに表示された処理内容から「テキスト」１００ａ−１が選択されたか否かの判断を行うものである。
【００６０】
ステップＳ３０４の判断処理において、「テキスト」１００ａ−１が選択されていないと判断された場合には、再度ステップＳ３０４の判断処理を行う。
【００６１】
即ち、編集画面１００が表示されると、「シートカラー」１００ａ−２や「エア貼り」１００ａ−３を選択することができない状態とし、テキストが選択されるまでこのステップＳ３０４の判断処理を行うものである。
【００６２】
また、ステップＳ３０４の判断処理において、「テキスト」１００ａ−１が選択されたと判断された場合には、詳細処理内容表示部１００ｂに「テキスト入力」１００ｂａ−１および「「縦書き／横書き」１００ｂａ−２の項目を表示する（ステップＳ３０６、図９（ｂ）を参照する。）。
【００６３】
その後、「テキスト入力」１００ｂａ−１または「縦書き／横書き」１００ｂａ−２のどちらが選択されたのかの判断を行う（ステップＳ３０８）。
【００６４】
このステップＳ３０８の判断処理において、「縦書き／横書き」１００ｂａ−２が選択されたと判断された場合には、カッティングデータ表示部１００ｃにおける表示の縦書きと横書きとが変更され（ステップＳ３１０）、再度ステップＳ３０８の判断処理に戻る。
【００６５】
即ち、ステップＳ３１０の処理においては、カッティングデータ表示部１００ｃにおいて横書きに表示される設定となっていた場合には、「縦書き／横書き」１００ｂａ−２が選択されると、カッティングデータ表示部１００ｃに表示されるカッティングデータが縦書きに表示されるようになる。また、カッティングデータ表示部１００ｃにおいて縦書きに表示される設定となっていた場合には、「縦書き／横書き」１００ｂａ−２が選択されると、カッティングデータ表示部１００ｃに表示されるカッティングデータが横書きに表示されるようになる。
【００６６】
また、ステップＳ３１０の判断処理において、「テキスト入力」１００ｂａ−１が選択されたと判断された場合には、タッチパネル３２においてテキスト入力画面１１０を表示する（ステップＳ３１２）。
【００６７】
このテキスト入力画面１１０には、文字を入力するためのキーボードや選択可能なフォントを表示するためのキーボード・フォント表示部１１０ａと、キーボード・フォント表示部１１０ａで入力された情報を反映したテキストデータを表示するテキストデータ表示部１１０ｂとが設けられている。
【００６８】
即ち、キーボード・フォント表示部１１０ａには、文字キーなどが配列されたキーボード１１０ａａが表示されるとともに、選択可能なフォントが表示されたフォント選択画面１１０ａｂが表示される。なお、本実施の形態においては、ステップＳ３１２の処理においてテキスト入力画面１１０が表示されたときには、テキストタブ１１０ａ−１が選択されてキーボード１１０ａａが表示された状態となっている。
【００６９】
このキーボード・フォント表示部１１０ａでは、テキストタブ１１０ａ−１が選択されると、キーボード１１０ａａが表示され（図１０（ａ）を参照する。）、フォントタブ１１０ａ−２が選択されるとフォント選択画面１１０ａｂが表示される（図１０（ｂ）を参照する。）。
【００７０】
また、テキスト入力画面１１０には、テキストデータの入力を完了する完了ボタン１１０ｃとが設けられている。
【００７１】
テキスト入力画面１１０が表示されると、次に、フォントタブ１１０ａ−２が選択されたか否かの判断を行う（ステップＳ３１４）。
【００７２】
このステップＳ３１４の判断処理において、フォントタブ１１０ａ−２が選択されたと判断された場合には、フォント変更処理を開始する（ステップＳ３１６）。
【００７３】
ここで、図５のフローチャートには、このステップＳ３１６のフォント変更処理の詳細な処理内容が示されており、このフォント変更処理においては、まず、選択可能なフォントをフォント選択画面１１０ａｂに表示する（ステップＳ５０２）。
【００７４】
その後、表示されたフォントのいずれかが選択されたか否かの判断を行う（ステップＳ５０４）。
【００７５】
このステップＳ５０４の判断処理において、表示されているフォントが選択されたと判断された場合には、選択されたフォントを特定し、特定したフォントでテキストデータ表示部１１０ｂに表示されるテキストデータが表示されるように設定を変更し（ステップＳ５０６）、再度ステップＳ５０４の判断処理に戻る。
【００７６】
また、ステップＳ５０４の判断処理において、表示されているフォントが選択されていないと判断された場合には、テキストタブ１１０ａ−１が選択されたか否かの判断を行う（ステップＳ５０８）。
【００７７】
ステップＳ５０８の判断処理において、テキストタブ１１０ａ−１が選択されていないと判断された場合には、ステップＳ５０４の判断処理に戻る。
【００７８】
また、ステップＳ５０８の判断処理において、テキストタブ１１０ａ−１が選択されたと判断された場合には、キーボード・フォント表示部１１０ａにキーボード１１０ａａを表示して（ステップＳ５１０）、このフォント変更処理を終了し、ステップＳ３１４の判断処理に戻る。
【００７９】
また、ステップＳ３１４の判断処理において、フォントタブ１１０ａ−２が選択されていないと判断された場合には、完了ボタン１１０ｃが選択されたか否かの判断を行う（ステップＳ３１８）。
【００８０】
このステップＳ３１８の判断処理において、完了ボタン１１０ｃが選択されたと判断された場合には、ステップＳ３０６の処理に戻り、詳細処理内容表示部１１０ｂに「テキスト入力」１００ｂａ−１および「縦書き／横書き」１００ｂａ−２の項目が表示された編集画面１００を表示し、その後、ステップＳ３０８の判断処理以降の処理を行う。
【００８１】
また、ステップＳ３１８の判断処理において、完了ボタン１１０ｃが選択されていないと判断された場合には、キーボード・フォント表示部１１０ａに表示されているキーボード１１０ａａにおいて入力があったか否かの判断を行う（ステップＳ３２０）。
【００８２】
ステップＳ３２０の判断処理において、キーボード１１０ａａにおいて入力がなかったと判断された場合には、ステップＳ３１４の判断処理に戻り、ステップＳ３１４の判断処理以降の処理を行う。
【００８３】
即ち、ステップＳ３１２の処理でテキスト入力画面１１０が表示されると、フォントタブ１１０ａ−２の選択、完了ボタン１１０ｃの選択、キーボード１１０ａａにおける入力のいずれかがなされるまでは、ステップＳ３１４、３１８、３２０の処理を繰り返すこととなる。
【００８４】
また、ステップＳ３２０の判断処理において、キーボード１１０ａａにおいて入力があったと判断された場合には、テキストデータ表示部１１０ｂに、キーボード１１０ａａにより入力された内容を反映してテキストデータを表示する（ステップＳ３２２）。
【００８５】
キーボード１１０ａａにより入力された文字の表示を行うと、次に、フォントタブ１１０ａ−２が選択されたか否かの判断を行う（ステップＳ３２４）。
【００８６】
このステップＳ３２４の判断処理において、フォントタブ１１０ａ−２が選択されたと判断された場合には、フォント変更処理を開始する（ステップＳ３２６）。
【００８７】
なお、このステップＳ３２６のフォント変更処理については、上記したステップＳ３１６のフォント変更処理と同様の処理内容であるため、その詳細な説明は省略することとし、ステップＳ３２６のフォント変更処理が終了すると、ステップＳ３２４の判断処理に戻る。
【００８８】
また、ステップＳ３２４の判断処理において、フォントタブ１１０ａ−２が選択されていないと判断された場合には、キーボード１１０ａａにおいて入力があったか否かの判断を行う（ステップＳ３２８）。
【００８９】
ステップＳ３２８の判断処理において、キーボード１１０ａａにおいて入力があったと判断された場合には、ステップＳ３２２の処理に戻り、テキストデータ表示部１１０ｂに、キーボード１１０ａａにより入力された内容を反映してテキストデータを表示し、ステップＳ３２４の判断処理以降の処理を行う。
【００９０】
また、ステップＳ３２８の判断処理において、キーボード１１０ａａにおいて入力がなかったと判断された場合には、完了ボタン１１０ｃが選択されたか否かの判断を行う（ステップＳ３３０）。
【００９１】
このステップＳ３３０の判断処理において、完了１１０ｃが選択されなかったと判断された場合には、ステップＳ３２４の処理に戻り、ステップＳ３２４の処理以降の処理を行う。
【００９２】
また、ステップＳ３３０の判断処理において、完了ボタン１１０ｃが選択されたと判断された場合には、テキストデータ表示部１１０ｂに表示されたテキストデータをカッティングデータとしてカッティングデータ表示部１００ｃに表示した状態で、タッチパネル３２に編集画面１００を表示する（ステップＳ３３２）。
【００９３】
即ち、ステップＳ３２２の処理において、キーボード１１０ａａによる入力を内容を反映してテキストデータを表示すると、フォントタブ１１０ａ−２の選択、キーボード１１０ａａにおける入力、完了ボタン１１０ｃの選択のいずれかがなされるまで、ステップＳ３２４、３２８、３３０の処理を繰り返すこととなる。
【００９４】
なお、ステップＳ３３２の処理で表示された編集画面１００においては、「シートカラー」１００ａ−２および「エア貼り」１００ａ−３が選択可能な状態となっている。
【００９５】
そして、編集画面１００が表示されると、次に、出力ボタン１００ｄが選択されたか否かの判断を行う（ステップＳ３３４）。
【００９６】
ステップＳ３３４の判断処理において、出力ボタン１００ｄが選択されたと判断された場合には、カッティングデータ表示部１００ｃに表示されているカッティングデータをカッティングプロッタ１４に出力する（ステップＳ３６２）。
【００９７】
また、ステップＳ３３４の判断処理において、出力ボタン１００ｄが選択されていないと判断された場合には、「テキスト」１００ａ−１が選択されたか否かの判断を行う（ステップＳ３３６）。
【００９８】
このステップＳ３３６の判断処理において、「テキスト」１００ａ−１が選択されたと判断された場合には、ステップＳ３０６の判断処理に戻り、ステップＳ３０６の処理以降の処理を行う。
【００９９】
また、ステップＳ３３６の判断処理において、「テキスト」１００ａ−１が選択されていないと判断された場合には、「シートカラー」１００ａ−２が選択されたか否かの判断を行う（ステップＳ３３８）。
【０１００】
ステップＳ３３８の判断処理において、「シートカラー」１００ａ−２が選択されたと判断された場合には、シートカラー変更処理を開始する（ステップＳ３４０）。
【０１０１】
ここで、図６のフローチャートには、このステップＳ３４０のシートカラー変更処理の詳細な処理内容が示されており、このシートカラー変更処理においては、まず、詳細処理内容表示部１００ｂに選択可能な色彩を表示する（ステップＳ６０２）。
【０１０２】
詳細処理内容表示部１００ｂに選択可能な色彩を表示すると、次に、表示された色彩のいずれかが選択されたか否かの判断を行う（ステップＳ６０４）。
【０１０３】
このステップＳ６０４の判断処理において、表示された色彩が選択されていないと判断された場合には、再度ステップＳ６０４の判断処理に戻る。
【０１０４】
一方、ステップＳ６０４の判断処理において、表示された色彩が選択されたと判断された場合には、選択された色彩を特定し、特定した色彩をテキストデータに反映して（ステップＳ６０６）、シートカラー変更処理を終了し、ステップＳ３３８の判断処理に戻る。
【０１０５】
また、ステップＳ３３８の判断処理において、「シートカラー」１００ａ−２が選択されていないと判断された場合には、「エア貼り」１００ａ−３が選択されたか否かの判断を行う（ステップＳ３４２）。
【０１０６】
ステップＳ３４２の判断処理において、「エア貼り」１００ａ−３が選択されていないと判断された場合には、ステップＳ３３４の判断処理に戻り、ステップＳ３３４の処理以降の処理を行う。
【０１０７】
一方、ステップＳ３４２の判断処理において、「エア貼り」１００ａ−３が選択されたと判断された場合には、詳細処理内容表示部１００ｂに「写真に貼る」１００ｂｂ−１および「貼って撮る」１００ｂｂ−２を表示する（ステップＳ３４４）。
【０１０８】
即ち、ステップＳ３３２の処理において編集画面１００が表示されると、出力ボタン１００ｂの選択、「テキスト」１００ａ−１の選択、「シートカラー」１００ａ−２の選択、「エア貼り」１００ａ−３の選択のいずれかがなされるまで、ステップＳ３３４、３３６、３３８、３４２の処理が繰り返されることとなる。
【０１０９】
その後、「写真に貼る」１００ｂｂ−１または「貼って撮る」１００ｂｂ−２のどちらが選択されたのかの判断を行う（ステップＳ３４６）。
【０１１０】
ステップＳ３４６の判断処理において、「写真に貼る」１００ｂｂ−１が選択されたと判断された場合には、第１イメージ処理を開始する（ステップＳ３４８）。
【０１１１】
ここで、図７のフローチャートには、このステップＳ３４８の第１イメージ処理の詳細な処理内容が示されており、この第１イメージ処理においては、まず、タッチパネル３２上に、予め写真データとして記憶されている画像データ（静止画像）を表示する画像データ選択画面（図示せず。）を表示する（ステップＳ７０２）。
【０１１２】
この画像データ選択画面は、予め写真データとして記憶されている画像データを表示しており、作業者は、この画像データの中から、作成されたカッティングデータによりカッティングされた成果物が貼り付けられる場所の画像データを選択することとなる。
【０１１３】
そして、画像データ選択画面（図示せず。）が表示されると、次に、この画像データ選択画面に表示された画像データが選択されたか否かの判断を行う（ステップＳ７０４）。
【０１１４】
このステップＳ７０４の判断処理において、画像データが選択されていないと判断された場合には、再度ステップＳ７０４の判断処理に戻る。
【０１１５】
また、ステップＳ７０４の判断処理において、画像データが選択されたと判断された場合には、タッチパネル３２にイメージ画像表示画面１２０を表示して（図１１（ｂ）を参照する。）、このイメージ画像表示画面１２０に選択された画像データを特定するとともに、特定した画像データ上にカッティングデータ表示部１００ｃに表示されたカッティングデータを重ねた状態のイメージ画像を表示する（ステップＳ７０６）。
【０１１６】
このとき、カッティングデータは、画像データ内に収まる大きさとするとともに、作業者による所定の操作により、当該映像データ上での大きさや配置位置を変更することが可能な状態となっている。
【０１１７】
なお、イメージ画像表示画面１２０は、図１１（ｂ）に示すように、タッチパネル３２を横長にした状態で表示されるようにしてもよいし、タッチパネル３２を図１１（ｂ）に示す状態から左右いずれかに９０°回転して縦長にした状態で表示されるようにしてもよい。
【０１１８】
また、イメージ画像表示画面１２０には、表示されるイメージ画像を画像データとして保存する保存ボタン１２０ａと、タッチパネル３２に表示される画面をイメージ画像表示画面１２０から編集画面１００に戻す戻るボタン１２０ｂが設けられている。
【０１１９】
その後、カッティングデータを移動する操作がなされたか否かの判断を行う（ステップＳ７０８）。
【０１２０】
即ち、このステップＳ７０８の判断処理においては、例えば、カッティングデータが表示されたタッチパネル３２上に指１本が触れた状態で、当該１本の指をタッチパネル３２上で移動したか否かの判断を行うものである。
【０１２１】
ステップＳ７０８の判断処理において、カッティングデータを移動する操作がなされたと判断された場合には、入力された操作内容に基づいてイメージ画像中のカッティングデータを移動し（ステップＳ７１０）、ステップＳ７０８の判断処理に戻る。
【０１２２】
即ち、このステップ７１０の処理においては、作業者が、タッチパネル３２に表示されたイメージ画像中のカッティングデータ上に指１本を置き、当該１本の指をタッチパネル３２内の所定の位置まで移動する操作がなされると、イメージ画像中のカッティングデータは、イメージ画像中で当該１本の指が移動した位置まで移動することとなる。
【０１２３】
また、ステップＳ７０８の判断処理において、カッティングデータを移動する操作がなされていないと判断された場合には、カッティングデータを拡大、縮小する操作がなされたか否かの判断を行う（ステップＳ７１２）。
【０１２４】
即ち、このステップＳ７１２の判断処理においては、例えば、タッチパネル３２上に指２本が触れた状態で、当該２本の指の間隔を広げる操作や当該２本の指の間隔を縮める操作を行ったか否かの判断を行うものである。
【０１２５】
ステップＳ７１２の判断処理において、カッティングデータを拡大、縮小する操作がなされたと判断された場合には、入力された操作内容に基づいてイメージ画像中のカッティングデータの拡大、縮小を行い（ステップＳ７１４）、ステップＳ７０８の判断処理に戻る。
【０１２６】
即ち、ステップＳ７１４の処理では、タッチパネル３２上の２本の指の間隔を広げる操作がなされると、当該２本の指の間隔を広げた長さに応じて、イメージ画像中のカッティングデータの拡大を行う。また、タッチパネル３２上の２本の指の間隔を縮める操作がなされると、当該２本の指の間隔を縮めた長さに応じて、イメージ画像中のカッティングデータの縮小を行う。
【０１２７】
また、ステップＳ７１２の判断処理において、カッティングデータを拡大、縮小する操作がなされていないと判断された場合には、イメージ画像表示画面１２０に表示された保存ボタン１２０ａが選択されたか否かの判断を行う（ステップＳ７１６）。
【０１２８】
ステップＳ７１６の判断処理において、保存ボタン１２０ａが選択されたと判断された場合には、イメージ画像表示画面１２０に表示されたイメージ画像を画像データとして保存し（ステップＳ７１８）、ステップＳ７０８の判断処理に戻る。
【０１２９】
また、ステップＳ７１６の判断処理において、保存ボタン１２０ａが選択されたと判断された場合には、イメージ画像表示画面１２０に表示された戻るボタン１２０ｂが選択されたか否かの判断を行う（ステップＳ７２０）。
【０１３０】
このステップＳ７２０の判断処理において、戻るボタン１２０ｂが選択されていないと判断された場合には、ステップＳ７０８の判断処理に戻る。
【０１３１】
また、ステップＳ７２０の判断処理において、戻るボタン１２０ｂが選択されたと判断された場合には、タッチパネル３２に表示される画面をイメージ画像表示画面１２０から編集画面１００に変更して（ステップＳ７２２）、この第１イメージ処理を終了する。
【０１３２】
即ち、ステップＳ７０６の処理においてイメージ画像がイメージ画像表示画面１２０に表示されると、カッティングデータの移動の操作、カッティングデータの拡大、縮小の操作、保存ボタン１２０ａの選択、戻るボタン１２０ｂの選択のいずれかがなされるまで、ステップＳ７０８、７１２、７１６、７２０の処理を繰り返すこととなる。
【０１３３】
一方、ステップＳ３４６の判断処理において、「貼って撮る」１００ｂｂ−２が選択されたと判断された場合には、第２イメージ処理を開始する（ステップＳ３５０）。
【０１３４】
ここで、図８のフローチャートには、このステップＳ３５０の第２イメージ処理の詳細な処理内容が示されており、この第２イメージ処理においては、まず、カメラ３４を起動し、撮影を開始する（ステップＳ８０２）。
【０１３５】
そして、カメラ３４により撮影が開始されると、タッチパネル３２にイメージ画像表示画面１２０を表示して（図１１（ｂ）を参照する。）、このイメージ画像表示画面１２０に撮影中の映像データ（動画像）を表示するとともに、表示している映像データ上にカッティングデータ表示部１００ｃに表示されたカッティングデータを重ねた状態のイメージ映像を表示する（ステップＳ８０４）。
【０１３６】
このとき、カッティングデータは、映像データ内に収まる大きさとするとともに、作業者による所定の操作により、当該映像データ上での大きさや配置位置を変更することが可能な状態となっている。
【０１３７】
また、イメージ画像表示画面１２０には、表示されるイメージ映像を画像データとして保存する保存ボタン１２０ａと、タッチパネル３２に表示される画面をイメージ画像表示画面１２０から編集画面１００に戻す戻るボタン１２０ｂが設けられている。
【０１３８】
その後、カッティングデータを移動する操作がなされたか否かの判断を行う（ステップＳ８０６）。
【０１３９】
即ち、このステップ８０６の判断処理においては、例えば、カッティングデータが表示されたタッチパネル３２上に指１本が触れた状態で、当該１本の指をタッチパネル３２上で移動したか否かの判断を行うものである。
【０１４０】
ステップＳ８０６の判断処理において、カッティングデータを移動する操作がなされたと判断された場合には、入力された操作内容に基づいてイメージ映像中のカッティングデータを移動し（ステップＳ８０８）、ステップＳ８０６の判断処理に戻る。
【０１４１】
即ち、このステップ８０８の処理においては、作業者が、タッチパネル３２に表示されたイメージ映像中のカッティングデータ上に指１本を置き、当該１本の指をタッチパネル３２内の所定の位置まで移動する操作がなされると、イメージ映像中のカッティングデータは、イメージ映像中で当該１本の指が移動した位置まで移動することとなる。
【０１４２】
また、ステップＳ８０６の判断処理において、カッティングデータを移動する操作がなされていないと判断された場合には、カッティングデータを拡大、縮小する操作がなされたか否かの判断を行う（ステップＳ８１０）。
【０１４３】
即ち、このステップＳ８１０の判断処理においては、例えば、タッチパネル３２上に指２本が触れた状態で、当該２本の指の間隔を広げる操作や当該２本の指の間隔を縮める操作を行ったか否かの判断を行うものである。
【０１４４】
ステップＳ８１０の判断処理において、カッティングデータを拡大、縮小する操作がなされたと判断された場合には、入力された操作内容に基づいてイメージ映像中のカッティングデータの拡大、縮小を行い（ステップＳ８１２）、ステップＳ８０６の判断処理に戻る。
【０１４５】
即ち、ステップＳ８１２の処理では、タッチパネル３２上の２本の指の間隔を広げる操作がなされると、当該２本の指の間隔を広げた長さに応じて、イメージ映像中のカッティングデータの拡大を行う。また、タッチパネル３２上の２本の指の間隔を縮める操作がなされると、当該２本の指の間隔を縮めた長さに応じて、イメージ映像中のカッティングデータの縮小を行う。
【０１４６】
また、ステップＳ８１０の判断処理において、カッティングデータを拡大、縮小する操作がなされていないと判断された場合には、イメージ画像表示画面１２０に表示された保存ボタン１２０ａが選択されたか否かの判断を行う（ステップＳ８１４）。
【０１４７】
ステップＳ８１４の判断処理において、保存ボタン１２０ａが選択されたと判断された場合には、イメージ画像表示画面１２０に表示されたイメージ映像を画像データとして保存し（ステップＳ８１６）、ステップＳ８０６の判断処理に戻る。
【０１４８】
また、ステップＳ８１４の判断処理において、保存ボタン１２０ａが選択されていないと判断された場合には、イメージ画像表示画面１２０に表示された戻るボタン１２０ｂが選択されたか否かの判断を行う（ステップＳ８１８）。
【０１４９】
このステップＳ８１８の判断処理において、戻るボタン１２０ｂが選択されていないと判断された場合には、ステップＳ８０６の判断処理に戻る。
【０１５０】
また、ステップＳ８１８の判断処理において、戻るボタン１２０ｂが選択されたと判断された場合には、タッチパネル３２に表示される画面をイメージ画像表示画面１２０から編集画面１００に変更して（ステップＳ８２０）、この第２イメージ処理を終了する。
【０１５１】
即ち、ステップＳ８０４の処理においてイメージ映像がイメージ画像表示画面１２０に表示されると、カッティングデータの移動の操作、カッティングデータの拡大、縮小の操作、保存ボタン１２０ａの選択、戻るボタン１２０ｂの選択のいずれかがなされるまで、ステップＳ８０６、８１０、８１４、８１８の処理を繰り返すこととなる。
【０１５２】
上記した第１イメージ処理や第２イメージ処理が終了すると、タッチパネル３２に表示された編集画面１００において「テキスト」１００ａ−１が選択されたか否かの判断を行う（ステップＳ３５２）。
【０１５３】
このステップＳ３５２の判断処理において、「テキスト」１００ａ−１が選択されたと判断された場合には、ステップＳ３０６の処理に戻り、ステップＳ３０６の処理以降の処理を行う。
【０１５４】
また、ステップＳ３５２の判断処理において、「テキスト」１００ａ−１が選択されていないと判断された場合には、「シートカラー」１００ａ−２が選択されたか否かの判断を行う（ステップＳ３５４）。
【０１５５】
ステップＳ３５４の判断処理において、「シートカラー」１００ａ−２が選択されたと判断された場合には、シートカラー変更処理を開始する（ステップＳ３５６）。
【０１５６】
なお、このステップＳ３５６のシートカラー変更処理については、上記したステップＳ３４０のシートカラー変更処理と同様の処理を行うため、その詳細な説明は省略することとする。
【０１５７】
また、ステップＳ３５６のシートカラー変更処理が終了すると、再度ステップＳ３５４の判断処理に戻る。
【０１５８】
一方、ステップＳ３５４の判断処理において、「シートカラー」１００ａ−２が選択されていないと判断された場合には、「エア貼り」１００ａ−３が選択されたか否かの判断を行う（ステップＳ３５８）。
【０１５９】
ステップＳ３５８の判断処理において、「エア貼り」１００ａ−３が選択されたと判断された場合には、ステップＳ３４４の処理に戻り、ステップＳ３４４の処理以降の処理を行う。
【０１６０】
また、ステップＳ３５８の判断処理において、「エア貼り」１００ａ−３が選択されていないと判断された場合には、出力ボタン１００ｄが選択されたか否かの判断を行うステップＳ３６０）。
【０１６１】
このステップＳ３６０の判断処理において、出力ボタン１００ｄが選択されていないと判断された場合には、ステップＳ３５２の判断処理に戻り、ステップＳ３５２の処理以降の処理を行う。
【０１６２】
また、ステップＳ３６０の判断処理において、出力ボタン１００ｄが選択されたと判断された場合には、ステップＳ３６２の処理に進み、カッティングデータ表示部１００ｃに表示されているカッティングデータをカッティングプロッタ１４に出力する。
【０１６３】
即ち、ステップＳ３４８の第１イメージ処理およびステップＳ３５０の第２イメージ処理が終了すると、「テキスト」１００ａ−１の選択、「シートカラー」１００ａ−２の選択、「エア貼り」１００ａ−３の選択、出力ボタン１００ｄの選択のいずれかがなされるまでは、ステップＳ３５２、３５４、３５８、３６０の処理が繰り返されることとなる。
【０１６４】
携帯端末２０から作成したカッティングデータがカッティングプロッタ１４に出力されると、カッティングプロッタ１４は、カッティングプロッタ１４にセットされていたシート材に対して、当該カッティングデータに基づいてカッティングを行う。
【０１６５】
そして、カッティングプロッタ１４において、カッティングデータに基づくカッティングが終了すると、作業者はカッティングプロッタ１４からシート材を取り出し、カッティングがなされたシート材の表面に転写シートを貼り付けて、カッティングしたシート材を転写シートに転写する。
【０１６６】
こうしてカッティングされたシート材が貼り付けられた転写シートを所望の場所に貼り付け、転写シートのみを剥がし、所定の文字を所望の場所に形成する。
【０１６７】
ステップＳ３６２の処理の後に、さらに、カッティングデータを作成するか否かの選択画面（図示せず。）を表示し（ステップＳ３６４）、カッティングデータを作成する判断がなされたか否かの判断を行う（ステップＳ３６６）。
【０１６８】
即ち、このステップＳ３６６の判断処理においては、図示しない選択画面にカッティングデータを「作成する」、カッティングデータを「作成しない」の選択肢が表示され、どちらの選択肢が選択されたのかを判断するものである。
【０１６９】
このステップＳ３６６の判断処理において、カッティングデータを作成する判断がなされたと判断された場合、つまり、「作成する」が選択された場合には、ステップＳ３０２の処理に戻り、ステップＳ３０２の処理以降の処理を行う。
【０１７０】
一方、ステップＳ３６６の判断処理において、カッティングデータを作成する判断処理がなされなかった場合、つまり、「作成しない」が選択された場合には、このカッティングデータ作成処理を終了する。
【０１７１】
次に、具体的に、カッティングデータ作成処理によって、所望の文字のカッティングデータを作成する一例について説明することとする。
【０１７２】
まず、カッティングデータ作成処理を起動して、編集画面１００を表示する（ステップＳ３０２に相当する。図９（ａ）を参照する。）。
【０１７３】
その後、作業者が処理内容表示部１００ａに表示された「テキスト」１００ａ−１を選択すると（ステップＳ３０４の処理に相当する。）、詳細処理内容表示部１００ｂに「テキスト入力」、「縦書き／横書き」の項目を表示する（ステップＳ３０６の処理に相当する。）。
【０１７４】
そして、作業者が詳細処理内容表示部１１０ｂに表示された「テキスト入力」１００ｂａ−１を選択すると（ステップＳ３０８の処理に相当する。）、タッチパネル３２にテキスト入力画面１１０を表示する（ステップＳ３１２の処理に相当する。図１０（ａ）を参照する。）。
【０１７５】
なお、このとき、作業者が詳細処理内容表示部１１０に表示された「縦書き／横書き」１００ｂａ−２を選択すると（ステップＳ３０８の処理に相当する。）、テキスト入力画面１１０のテキストデータ表示部１１０ｂに表示されるテキストデータが、縦書きの設定であった場合には横書きの設定に、横書きの設定であった場合には縦書きの設定に変更される。
【０１７６】
テキスト入力画面１１０を表示して、作業者がフォントタブ１１０ａ−２を選択する（ステップＳ３１４の処理に相当する。）、キーボード・フォント表示部１１０ａに選択可能なフォントを表示する（ステップＳ５０２の処理に相当する。図１０（ｂ）を参照する。）。
【０１７７】
そして、作業者が表示した選択可能なフォントの１つが選択すると（ステップＳ５０４の処理に相当する。）、選択されたフォントの右方側にレ点が表示され選択されたフォントを明示する（図９（ｂ）を参照する。）。
【０１７８】
その後、選択されたフォントでテキストデータが表示されるように、テキストデータのフォントの設定を選択されたフォントに変更する（ステップＳ５０６の処理に相当する。）。
【０１７９】
フォントの設定を終え、作業者がテキストタブ１１０ａ−１を選択すると（ステップＳ５０８の処理に相当する。）、キーボード・フォント表示部１１０ａにキーボード１１０ａａを表示する（ステップＳ５１０の処理に相当する。）。
【０１８０】
そして、作業者がキーボード１１０ａａへ所定の文字を入力すると（ステップＳ３２０の処理に相当する。）、キーボード１１０ａａで入力された内容に基づいてテキストデータ表示部１１０ｂに、入力された文字をテキストデータとして表示する（ステップＳ３２２の処理に相当する。）。
【０１８１】
具体的には、作業者がキーボード１１０ａａを利用して「Ｒｏｌａｎｄ  Ｄ．Ｇ．  Ｃｏｒｐｒａｔｉｏｎ」と入力したとすると、テキスト入力画面１１０は、図１２（ａ）に示すように、テキストデータ表示部１１０ｂに、設定されたフォントで「Ｒｏｌａｎｄ  Ｄ．Ｇ．  Ｃｏｒｐｒａｔｉｏｎ」と表示される。
【０１８２】
ここで、作業者がテキストデータ表示部１１０ｂに表示されたテキストデータのフォントを変更しようとして、再度フォントタブ１１０ａ−２を選択すると（ステップＳ３２４の処理に相当する。）、フォントの変更を行う（ステップＳ３２６の処理に相当する。）。
【０１８３】
また、作業者がテキストデータ表示部１１０ｂに表示されたテキストデータを変更しようとして、キーボード１１０ａａへの再入力を行うと（ステップＳ３２８の処理に相当する。）、テキストデータ表示部１１０ｂに表示されたテキストデータを変更する（ステップＳ３２２の処理に相当する。）。
【０１８４】
そして、次の処理を行うために作業者が完了ボタン１１０ｃを選択すると（ステップＳ３３０の処理に相当する。）、タッチパネル３２に編集画面１００を表示する（ステップＳ３３２の処理に相当する。）。
【０１８５】
このとき、テキストデータ表示部１１０ｃに表示されていたテキストデータは、編集画面１１０においてカッティングデータとしてカッティングデータ表示部１００ｃに表示される（図１２（ｂ）を参照する。）。
【０１８６】
タッチパネル３２に編集画面１１０を表示した後に、作業者が「シートカラー」１００ａ−２を選択すると（ステップＳ３３６の処理に相当する。）、詳細処理内容表示部１１０ｂに選択可能な色彩を表示する（ステップＳ６０２の処理に相当する）。
【０１８７】
そして、作業者がシートカラーの色彩を選択すると（ステップＳ６０４の処理に相当する。）、カッティングデータ表示部１００ｃにおいて選択された色彩によりカッティングデータを表示する（ステップＳ６０６の処理に相当する。）。
【０１８８】
その後、作業者が、作成したカッティングデータによりカッティングされた成果物を実際に対象となる場所に貼り付けたときのイメージを視覚的に確認するために、「エア貼り」１００ａ−３を選択すると（ステップＳ３４２の処理に相当する。）、詳細処理内容表示部１１０ｂに「写真に貼る」１００ｂｂ−１、「貼って撮る」１００ｂｂ−２の項目を表示する（ステップＳ３４４の処理に相当する。）。
【０１８９】
そして、作業者は「写真に貼る」１００ｂｂ−１または「貼って撮る」１００ｂｂ−２を選択する（ステップＳ３４６の処理に相当する。）。
【０１９０】
ここで、作業者が「写真に貼る」１００ｂｂ−１を選択すると、タッチパネル３２に予め写真データとして記憶されている画像データ（静止画像）を表示する画像データ選択画面を表示する（ステップＳ７０２の処理に相当する。）。
【０１９１】
作業者がこの画像データ選択画面に表示された画像データのいずれかを選択すると（ステップＳ７０４の処理に相当する。）、タッチパネル３２にイメージ画像表示画面１２０を表示し、選択した画像データ上にカッティングデータ表示部１００ｃに表示されていたカッティングデータを重ね合わせたイメージ画像を表示する（ステップＳ７０６の処理に相当する。図１３（ａ）を参照する。）。
【０１９２】
こうしてイメージ画像が表示されたイメージ画像表示画面１２０において、作業者が、所定の操作を行って、イメージ画像中のカッティングデータを所望のサイズで、所望の位置に配置し（ステップＳ７０８、７１０、７１２、７１４の処理に相当する。図１３（ｂ）を参照する。）、実際にこのカッティングデータによりカッティングされた成果物を貼り付ける際のイメージ画像を作成する。
【０１９３】
具体的には、例えば、図１３（ａ）に示すように、カッティングデータが画像データの上方側に位置した状態から、図１３（ｂ）に示すように、カッティングデータを縮小するとともにキャビネットの上段に配置する。
【０１９４】
そして、作業者が保存ボタン１２０ａを選択すると（ステップＳ７１６の処理に相当する。）、この実際に成果物を貼る付ける際のイメージ画像を画像データとして保存する（ステップＳ７１８の処理に相当する。）。
【０１９５】
こうしてイメージ画像の確認を終え、次の処理を行うために作業者が戻るボタン１２０ｂを選択すると（ステップＳ７２０の処理に相当する。）、タッチパネル３２に編集画面１００を表示する（ステップＳ７２２の処理に相当する。）。
【０１９６】
また、作業者が「貼って撮る」１００ｂｂ−２を選択すると、携帯端末２０においてカメラ３４が起動し、撮影を開始する（ステップＳ８０２の処理に相当する。）。
【０１９７】
そして、タッチパネル３２にイメージ画像表示画面１２０を表示し、撮影している映像データ（動画像）上にカッティングデータ表示部１００ｃに表示されていたカッティングデータを重ね合わせたイメージ映像を表示する（ステップＳ８０４の処理に相当する。図１４（ａ）を参照する。）。
【０１９８】
こうしてイメージ映像が表示されたイメージ画像表示画面１２０において、作業者が、所定の操作を行って、イメージ映像中のカッティングデータを所望のサイズで、所望の位置に配置し（ステップＳ８０６、８０８、８１０、８１２の処理に相当する。図１４（ｂ）を参照する。）、実際にこのカッティングデータによりカッティングされた成果物を貼り付ける際のイメージ映像を作成する。
【０１９９】
具体的には、例えば、図１４（ａ）に示すように、カッティングデータが映像データの上方側に位置した状態から、図１４（ｂ）に示すように、映像データに複写機の側面が収まるようにカメラ３４を操作するとともに、カッティングデータを縮小して複写機の側面に配置する。
【０２００】
そして、作業者が保存ボタン１２０ａを選択すると（ステップＳ８１４の処理に相当する。）、この実際に成果物を貼り付ける際のイメージ映像を画像データとして保存する（ステップＳ８１６の処理に相当する。）。
【０２０１】
こうしてイメージ映像の確認を終え、次の処理を行うために作業者が戻るボタン１２０ｂを選択すると（ステップＳ８１８の処理に相当する。）、タッチパネル３２に編集画面１００を表示する（ステップＳ８２０の処理に相当する。）。
【０２０２】
こうして、作成したカッティングデータによりカッティングされた成果物を対象となる場所に貼り付けたときのイメージを確認して、確認したイメージ画像またはイメージ映像が作業者のイメージ通りならば、作業者は、出力ボタン１００ｄを選択することになる。一方、確認したイメージ画像またはイメージ映像が作業者のイメージと異なる場合には、作業者は、カッティングデータの修正を行うこととなる。
【０２０３】
即ち、作業者がカッティングデータの修正のために、編集画面１００において「テキスト」１００ａ−１を選択すると（ステップＳ３５２の処理に相当する。）、上記のようにしてカッティングデータとして表示される文字の修正が行われる（ステップＳ３０６〜３３２の処理に相当する。）。
【０２０４】
また、作業者が編集画面１００において「シートカラー」１００ａ−２を選択すると（ステップＳ３５４に相当する。）、上記のようにしてカッティングデータを表す色彩の修正が行われる（ステップＳ３５６の処理に相当する。）
【０２０５】
さらに、こうして修正したカッティングデータのイメージを確認するために、作業者が「エア貼り」１００ａ−３を選択すると（ステップＳ３５８の処理に相当する。）、上記のようにして修正したカッティングデータによりカッティングされた成果物を対象となる場所に貼り付けたときのイメージ画像またはイメージ映像が表示される（ステップＳ３４６、３４８、３５０の処理に相当する。）。
【０２０６】
一方、作業者が出力ボタン１００ｄを選択すると、作成したカッティングデータ、つまり、カッティングデータ表示部１００ｃに表示されているカッティングデータをカッティングプロッタ１４に出力し（ステップＳ３６２の処理に相当する。）、カッティングプロッタ１４により出力されたカッティングデータに基づいてシート材のカッティングを行う。
【０２０７】
カッティングデータをカッティングプロッタ１４に出力すると、タッチパネル３２に、さらにカッティングデータを作成するか否かの選択画面が表示される（ステップＳ３６４の処理に相当する。）。
【０２０８】
そして、作業者が、さらにカッティングデータを作成することが選択されると、再度カッティングデータの上記したような作成作業がなされる。
【０２０９】
また、作業者が、さらにカッティングデータを作成しないことが選択されると、カッティングデータ作成処理を終了する。
【０２１０】
以上において説明したように、本発明によるカッティング装置１０は、携帯端末２０において作成したカッティングデータをカッティングプロッタ１４に送信し、カッティングプロッタ１４において当該カッティングデータに基づいてカッティングを行うようにした。
【０２１１】
また、こうしたカッティングデータは、作成したカッティングデータによりカッティングされた成果物を実際に貼り付ける場所の映像（動画像や静止画像）を利用して、作成時に作業者がイメージを視覚的に確認できるようにして作成するようにした。
【０２１２】
このため、本発明によるカッティング装置１０においては、カッティングデータ作成時に、作業者が当該カッティングデータによりカッティングされた成果物を貼り付けた状態を視覚的に把握できるようになり、作成するカッティングデータのイメージを頭の中でより具現化しやすくなる。
【０２１３】
これにより、本発明によるカッティング装置１０によれば、カッティングデータを作成し、作成したカッティングデータに基づいてカッティングされた成果物を取得するといった作業の作業時間の短縮を図れる。
【０２１４】
さらに、本発明によるカッティング装置１０によれば、成果物を取得した後に、作業者のイメージと異なるため、再度カッティングデータを作成し直して成果物を取得するといったことを行うことがなくなるため、シート材の使用量を抑制することができ、成果物を取得するためのコスト高を抑制することができる。
【０２１５】
なお、上記した実施の形態は、以下の（１）乃至（７）に示すように変形するようにしてもよい。
【０２１６】
（１）上記した実施の形態においては、文字のカッティングデータを作成し、作成したカッティングデータによりカッティングされた成果物を対象となる場所に貼り付けたイメージを確認するようにしたが、これに限られるものではないことは勿論であり、記号や所定の形状のカッティングデータを作成し、作成したカッティングデータによりカッティングされた成果物を対象となる場所に貼り付けたイメージを確認するようにしてもよい。
【０２１７】
なお、記号のカッティングデータや所定の形状のカッティングデータの作成方法については、公知の技術を用いるようにすればよい。
【０２１８】
（２）上記した実施の形態においては、キーボード１１０ａａを利用して文字を入力してテキストデータを作成し、このテキストデータからカッティングデータを作成するようにしたが、これに限られるものではないことは勿論であり、予め記憶されたテキストデータまたはカッティングデータを用いてカッティングデータを作成するようにしてもよい。
【０２１９】
なお、こうした場合には、カッティングデータ作成処理が開始すると、まず、「新しく作成」、「保存データから作成」などが表示された初期画面が表示され、作業者が「新しく作成」を選択すると、上記した実施の形態に記載した手順で処理がなされる。
【０２２０】
一方、作業者が「保存データから作成」を選択すると、タッチパネル３２に予め記憶された保存データ（テキストデータやカッティングデータ）を選択する画面が表示され、作業者が任意の保存データを選択すると、選択したデータがカッティングデータ表示部１００ｃに表示された状態の編集画面１００が表示される。
【０２２１】
そして、編集画面１００に表示されたカッティングデータに対して、シートカラーの変更、フォントの変更などの処理を適宜に行うこととなる。
【０２２２】
即ち、この場合には、上記したカッティングデータ作成処理のステップＳ３２２の処理から開始されることとなる。
【０２２３】
（３）上記した実施の形態においては、第１イメージ処理において、ステップＳ７０２の処理では、予め写真データとして記憶されている画像データを利用し、当該画像データ上に作成したカッティングデータを重ねてイメージ画像を作成するようにしたが、これに限られるものではないことは勿論である。
【０２２４】
即ち、カメラ３４を起動し、カメラ３４により対象となる場所の静止画を撮影し、撮影した静止画の画像データを利用してイメージ画像を作成するようにしてもよい。
【０２２５】
（４）上記した実施の形態においては、イメージ画像またはイメージ映像を作成する際、つまり、「エア貼り」１００ａ−３を選択した後に、「写真に貼る」１００ｂｂ−１と「貼って撮る」１００ｂｂ−２とを選択可能なようにしたが、これに限られるものではないことは勿論であり、「エア貼り」１００ａ−３を選択すると、「写真に貼る」１００ｂｂ−１を選択することによりなされる第１イメージ処理または「貼って撮る」１００ｂｂ−２を選択することによりなされる第２イメージ処理のどちらか一方の処理を行うようにしてもよい。
【０２２６】
（５）上記した実施の形態においては、携帯端末２０においてカッティングデータを作成した後に、作成したカッティングデータを携帯端末２０からカッティングプロッタ１４に出力するようにしたが（ステップＳ３３４、３６０）、携帯端末２０において、カッティングデータを出力する前に作成したカッティングデータを保存するようにしてもよい。
【０２２７】
（６）上記した実施の形態においては、カッティング装置１０においてカッティングプロッタ１４を用いるようにしたが、これに限られるものではないことは勿論であり、カッティングプロッタ１４に変えて、カッティング用のカッターを交換可能に保持するカッティングヘッドと、印刷のためのインク滴を吐出するインクヘッドの両方を備える複合機を用いるようにしてもよい。つまり、カッティングデータに基づいてカッティング用カッターを制御してシート材をカッティングすることが可能な装置であればどのような装置であってもよい。
【０２２８】
（７）上記した実施の形態ならびに上記した（１）乃至（６）に示す変形例は、適宜に組み合わせるようにしてもよい。
【産業上の利用可能性】
【０２２９】
本発明は、カッティングデータを作成する際に用いて好適である。
【符号の説明】
【０２３０】
１０  カッティング装置、１２  データ受信部、１４  カッティングプロッタ、２０  携帯端末、２２  ＣＰＵ、２４  バス、２６  記憶部、２８  出力部、３０  入力部、３２  タッチパネル、３４  カメラ、１００  編集画面、１１０  テキスト入力画面、１２０  イメージ画像表示画面
【図１】
2014085838.tif 000003
【図２】
2014085838.tif 000004
【図３】
2014085838.tif 000005
【図４】
2014085838.tif 000006
【図５】
2014085838.tif 000007
【図６】
2014085838.tif 000008
【図７】
2014085838.tif 000009
【図８】
2014085838.tif 000010
【図９】
2014085838.tif 000011
【図１１】
2014085838.tif 000012
【図１２】
2014085838.tif 000013
【図１０】
2014085838.tif 000014
【図１３】
2014085838.tif 000015
【図１４】
2014085838.tif 000016